(57)【要約】【課題】  非通電性であるとともに、簡略な構成で壁体の削孔に対して高い定着性を確保し確実に壁面被覆材を壁体に支持固定できる有効適切なアンカー部材を提供する。【解決手段】  スリーブ部４の先端部に拡径部７が形成され基端部にヘッド部８が形成されているアンカー本体５と、その中心孔に基端側から打ち込むことで拡径部を拡径させるアンカーピン６とからなり、それらをいずれも不導体である高強度樹脂を素材とする樹脂成形品とする。アンカーピンとしてアラミドロッドを用いる。アンカーピンの長さをアンカー本体の長さよりも大きくして、その先端部を接着材３によって削孔２内の先端部に固着せしめて定着する。接着材が含浸可能かつ柔軟な素材からなる環状の緩衝材１６をアンカー本体のヘッド部の裏面側に装着する。【選択図】  図５
2006028779.tif 000002
【特許請求の範囲】
【請求項１】
壁体に形成された削孔内に定着されることにより、壁面を被覆している壁面被覆材を削孔周囲の壁面に支持固定する構成のアンカー部材であって、
スリーブ部の先端部に拡径部が形成され基端部にヘッド部が形成されているアンカー本体と、そのアンカー本体の中心孔に基端側から打ち込むことで拡径部を拡径させるアンカーピンとからなり、
前記アンカー本体および前記アンカーピンは、いずれも不導体である高強度樹脂を素材とする樹脂成形品からなり、
前記アンカー本体の拡径部は、前記スリーブ部の少なくとも先端部をスリットによって複数の分割片に分割するとともに、スリーブ部の先端部における中心孔の内径寸法をアンカーピンの外径寸法よりも小さくすることで形成され、
前記アンカー本体のスリーブ部を接着材が充填されている削孔内に挿入してその中心孔にアンカーピンを打ち込むことにより、拡径部を拡径してアンカー本体を削孔に対して固定するとともに、アンカー本体およびアンカーピンの全体を接着材により固着して壁体に定着する構成としたことを特徴とするアンカー部材。
【請求項２】
請求項１記載のアンカー部材であって、
アンカーピンは、アラミド繊維を束ねて樹脂により棒状に固着せしめた樹脂成形品であるアラミドロッドからなることを特徴とするアンカー部材。
【請求項３】
請求項１または２記載のアンカー部材であって、
アンカーピンの全長をアンカー本体の全長よりも長くして、アンカー本体に打ち込んだアンカーピンの先端部をアンカー本体先端よりも前方に突出せしめることにより、そのアンカーピンの先端部を接着材によって削孔内の先端部に固着せしめて定着する構成としたことを特徴とするアンカー部材。
【請求項４】
請求項１，２または３記載のアンカー部材であって、
柔軟かつ接着材が含浸可能な素材からなる環状の緩衝材を、アンカー本体のヘッド部の裏面側に装着する構成としたことを特徴とするアンカー部材。
【発明の詳細な説明】
【技術分野】
【０００１】
本発明は、たとえばトンネル等のコンクリート壁面に対して補強用あるいは止水用の壁面被覆材を取り付ける際に用いて好適なアンカー部材に関する。
【背景技術】
【０００２】
従来より、例えばトンネルの覆工コンクリート等の壁体の表面を保護してその剥落や崩落を防止すべく、アラミド繊維シート等の壁面被覆材で壁面を被覆することが広く行われている。その際には、壁面被覆材を単に壁面に対して接着材等で固着するのみでなく、例えば特許文献１に示されるようなアンカー装置や、特許文献２に示されるようなアンカーピン等を用いて、壁面被覆材を壁面に対して支持固定することが一般的となっている。
【特許文献１】特開２００３−２６９１００号公報
【特許文献２】特開平１１−３６６１０号公報
【発明の開示】
【発明が解決しようとする課題】
【０００３】
しかし、特許文献１や特許文献２に示されるような従来一般のこの種のアンカー手段はいずれも導電性を有する金属製であることから、帯電や感電の危険性等の保安上の問題から電気関連施設へは適用し難い場合がある。また、特許文献１に示されるアンカー装置や特許文献２に示されるアンカーピンは、いずれも先端部の拡径による機械的な固定と削孔内に充填した接着材による接着とを併用して定着するものであるが、前者は構成が複雑に過ぎて高価であるばかりでなく作業性も良くなく、後者は充分な定着強度が期待できない場合があって信頼性の点で難があり、いずれも広く普及するに至っていない。
【０００４】
上記事情に鑑み、本発明は、非通電性であるとともに、簡略な構成で壁体の削孔に対して高い定着性を確保し確実に壁面被覆材を壁体に支持固定できる有効適切なアンカー部材を提供することを目的としている。
【課題を解決するための手段】
【０００５】
請求項１の発明は、壁体に形成された削孔内に定着されることにより、壁面を被覆している壁面被覆材を削孔周囲の壁面に支持固定する構成のアンカー部材であって、スリーブ部の先端部に拡径部が形成され基端部にヘッド部が形成されているアンカー本体と、そのアンカー本体の中心孔に基端側から打ち込むことで拡径部を拡径させるアンカーピンとからなり、前記アンカー本体および前記アンカーピンは、いずれも不導体である高強度樹脂を素材とする樹脂成形品からなり、前記アンカー本体の拡径部は、前記スリーブ部の少なくとも先端部をスリットによって複数の分割片に分割するとともに、スリーブ部の先端部における中心孔の内径寸法をアンカーピンの外径寸法よりも小さくすることで形成され、前記アンカー本体のスリーブ部を接着材が充填されている削孔内に挿入してその中心孔にアンカーピンを打ち込むことにより、拡径部を拡径してアンカー本体を削孔に対して固定するとともに、アンカー本体およびアンカーピンの全体を接着材により固着して壁体に定着する構成としたことを特徴としている。
【０００６】
請求項２の発明は、請求項１の発明のアンカー部材であって、アンカーピンは、アラミド繊維を束ねて樹脂により棒状に固着せしめた樹脂成形品であるアラミドロッドからなることを特徴としている。
【０００７】
請求項３の発明は、請求項１または２の発明のアンカー部材であって、アンカーピンの全長をアンカー本体の全長よりも長くして、アンカー本体に打ち込んだアンカーピンの先端部をアンカー本体先端よりも前方に突出せしめることにより、そのアンカーピンの先端部を接着材によって削孔内の先端部に固着せしめて定着する構成としたことを特徴としている。
【０００８】
請求項４の発明は、請求項１，２または３の発明のアンカー部材であって、柔軟かつ接着材が含浸可能な素材からなる環状の緩衝材を、アンカー本体のヘッド部の裏面側に装着する構成としたことを特徴としている。
【発明の効果】
【０００９】
請求項１の発明のアンカー部材は、その全体すなわちアンカー本体およびアンカーピンの双方がいずれも不導体により成形されているので、電気関連施設に対しても保安上の問題なく支障なく適用でき、安全な作業環境を確保することが可能である。また、アンカー本体はその先端部に形成されている拡径部がアンカーピンの打ち込みにより拡径して削孔内壁に押圧されることで削孔に対して機械的に強固に固定されるのみならず、削孔内に予め接着材を充填しておくことによりアンカー本体およびそれに打ち込んだアンカーピンの全体が接着材により固着されることになり、上記のような拡径部の拡径による機械的な固定と接着材による接着の双方によりアンカー部材を削孔内に確実強固に定着することができ、優れた定着強度と信頼性を確保することができる。
【００１０】
請求項２の発明のアンカー部材は、アンカーピンとして小径であっても優れた強度を有するアラミドロッドを採用しているので、打ち込みの際にそれが折れたり曲がったりすることを確実に防止できるし、それ自体が優れた引っ張り強度を有するのでこのアンカーピン自体による定着強度の増強効果も得られる。また、アンカーピンを充分に小径とできることから、それを打ち込むスリーブ部の断面径や、アンカー本体を挿入するための削孔径も小断面とでき、工費削減と作業効率の向上を図ることができる。
【００１１】
請求項３の発明のアンカー部材は、アンカーピンを接着材によってアンカー本体に一体に固着するのみならず、アンカーピンの先端部をアンカー本体の前方に突出させることによりアンカーピンの先端部が削孔内の先端部に対して直接的に定着されることになり、したがってアンカーピン自体がより確実に定着されるとともに定着有効長さがより大きくなり、アンカー部材全体としての定着強度をより高めることができる。
【００１２】
請求項４の発明のアンカー部材は、アンカー本体の基端部に形成されているヘッド部の裏面側に柔軟な緩衝材を装着することにより、その変形により壁面の不陸や壁面に対する削孔の傾きを吸収できるので、この緩衝材を介してヘッド部によって壁面被覆材を壁面に対して確実に押圧し支持固定することができる。また、接着材が含浸可能な緩衝材を用いることにより、削孔内にアンカー本体を挿入する際に削孔内から溢れ出す接着材、あるいは壁面被覆材に塗布する接着材が緩衝材に含浸してそれによる接着効果も期待できる。
【発明を実施するための最良の形態】
【００１３】
本発明のアンカー部材の一実施形態を図１〜図４に示す。本実施形態のアンカー部材は、図４（ｃ）に示すように、壁体１に形成した削孔２内に固定され、かつ削孔２に予め充填された接着材３によって固着されることにより、壁体１に対して確実強固に定着されるものである。
【００１４】
本実施形態のアンカー部材は、図１に示すようにアンカー本体５とアンカーピン６とを主体として構成されたものであるが、それらアンカー本体５およびアンカーピン６はいずれも不導体である高強度樹脂を素材とする樹脂成形品であり、特にアンカーピン６としては多数のアラミド繊維を束ねて樹脂により小径の棒状に形成した高強度のアラミドロッドが採用されている。
【００１５】
本実施形態のアンカー部材におけるアンカー本体５は、図１〜図３に示すようにスリーブ部４の先端部に拡径部７が形成され、基端部にはヘッド部８が一体に形成されているものである。
【００１６】
アンカー本体５におけるスリーブ部４は外径がたとえば９ｍｍ程度、全長がたとえば６０ｍｍ程度とされ、そのスリーブ部４の先端部はやや先細り形状とされていて、スリーブ部４の周面にほぼ全長にわたって形成されたスリット９によって先端部が２つの分割片１０に分割されることでそこが拡径部７とされている。そして、図３（ａ）に示すようにスリーブ部４の中心孔１１の断面寸法は、スリーブ部４の基端側ではアンカーピン６の外径寸法を上回る程度（たとえば４ｍｍ程度）とされているが、先端側においてはテーパ部１２を介して絞られてアンカーピン６の外径寸法よりも小さく（たとえば１ｍｍ程度）されており、それにより同図（ｂ）に示すようにアンカーピン６をスリーブ部４の先端部まで打ち込むことにより両側の分割片１０がそれぞれ外側に押し広げられて拡径されるようになっている。なお、スリーブ部４の分割片１０の上部周面には、抜け止めとして機能して削孔２への定着強度を高めるための鈎状の段部１３が多段に形成されている。
【００１７】
スリーブ部４の基端部に形成されているヘッド部８は、たとえば直径４５ｍｍ程度の円盤状をなし、その中心には上記の中心孔１１が開口しているとともに、上面には放射状に４本のリブ１４が厚肉部として形成され、それらリブ１４の間には図３に示すように上面側が大きく下面側で小さくされた擂り鉢状の貫通孔１５が形成されている。
【００１８】
アンカーピン６は上述のようにアラミドロッドからなるもので、直径がわずか３ｍｍ程度の小径のものであっても鋼材等に勝る強度を有するものである。本実施形態ではアンカーピン６の全長はアンカー本体５の全長にほぼ等しくされていて、このアンカーピン６をアンカー本体５の基端側から中心孔１１に打ち込むことで上述のように拡径部７を拡径してアンカー本体５を削孔２内に固定するとともに、そのアンカーピン６自体も接着材３によってアンカー本体５とともに削孔２内に定着されることにより、その優れた引っ張り強度によってこのアンカー部材全体の定着強度を高める機能を備えたものである。
【００１９】
また、アンカー本体５の基端部におけるヘッド部８の裏面側には環状の緩衝材１６が装着されるようになっている。緩衝材１６は柔軟かつ接着材が含浸可能な素材、たとえばウレタンフォーム等により形成されたもので、これを装着したアンカー本体５を削孔２に挿入して緩衝材１６をヘッド部８と壁体１との間に介装することにより、緩衝材１６の変形によって壁面の不陸や壁面に対する削孔２の傾きを吸収し得るようになっており、またこの緩衝材１６も接着材３によって壁体１およびアンカー本体５に対して固着されるようになっている。
【００２０】
上記アンカー部材によって、トンネルの覆工コンクリートとしての壁体１にそれを保護するための壁面被覆材２０を取り付ける場合の作業手順を図４に示す。
【００２１】
まず、図４（ａ）に示すように、必要に応じてサンダーケレン等による壁面の下地処理、プライマー材の塗布、不陸修正材２１の塗布を行う。次いで、壁面被覆材２０を接着するための接着材２２の下塗りを行った後、壁面被覆材２０を貼り付ける。上記のプライマー材、不陸修正材２１、下塗り用の接着材２２としてはいずれもエポキシ樹脂や変成アクリル樹脂が好適に採用可能であり、壁面被覆材２０としては不導体であるアラミド繊維シートが好適に採用可能である。
【００２２】
そして、壁面被覆材２０の上から壁体１の所定位置に削孔２を形成し、その削孔２内には接着材３を充填する。削孔２の径寸法はスリーブ部４の外径よりもやや大きい程度（たとえば１０．５ｍｍ程度）とし、削孔２の深さは少なくともスリーブ部４の全体を挿入できる程度とする。削孔２内に充填する接着材３としてはたとえば変成アクリル樹脂が好適に採用可能である。削孔２への接着材３の充填量は、アンカー本体５を挿入しアンカーピン６を打ち込んだ状態で少なくとも削孔２内全体に接着材３が満たされるように設定しておく必要があるが、後述のようにその際に削孔２内から溢れ出すように充分な量の接着材３を充填しておくと良い。
【００２３】
図４（ｂ）に示すように、アンカー本体５に緩衝材１６を予め装着してそのスリーブ部４を削孔２内に挿入し、アンカー本体５の中心孔１１にテーパ部１２（図３（ａ）参照）の位置までアンカーピン６を差し込んだ後、ハンマー等によりアンカーピン６の全体をアンカー本体５に対して打ち込む。これにより（ｃ）に示すように拡径部７が拡径されて削孔２内面に押圧されることでアンカー本体５は削孔２に対して強固に固定され、同時にアンカー本体５も削孔２内に打ち込まれてそのヘッド部８が緩衝材１６を介して削孔２周囲の壁面に押し付けられ、これにより壁面被覆材２０が支持される。その際、削孔２内に充分な量の接着材３を充填しておくことにより、その接着材３が削孔２内全体に満たされるばかりでなく、スリーブ部４とアンカーピン６の体積相当分の接着材３が削孔２外に溢れ出し、それが緩衝材１６に含浸され、さらにヘッド部８に形成されている貫通孔１５（図３参照）を通してヘッド部８の表面側にも漏れ出すことになる。
【００２４】
所定の養生期間が経過すれば、削孔２内の接着材３が硬化してスリーブ部４およびアンカーピン６は削孔２内において一体に固着された状態でその全体が削孔２に対して固着され、また、削孔２内から溢れ出した接着材３によって緩衝材１６やヘッド部８も壁体１に対して固着され、これにより壁面被覆材２０が確実強固に支持固定される。以降は、図示は省略したが、壁面被覆材２０の小片によってヘッド部８を被覆し、壁面被覆材２０の全面に接着材を上塗りし、それが硬化すれば作業完了となる。
【００２５】
以上で説明したように、本実施形態のアンカー部材によれば、アンカー本体５およびアンカーピン６をいずれも電気的な絶縁材である樹脂成形品としたので、電気関連施設に対しても保安上の問題なく支障なく適用することができることはもとより、アンカーピン６によって拡径部７が拡径されることによるアンカー本体５の機械的な固定と、アンカー本体５およびアンカーピン６の全体が接着材３によって削孔２内に固着されることによって、優れた定着強度と信頼性が得られる。特に、アンカーピン６の打ち込みによって拡径部７が拡径されることでスリーブ部４の周面に形成されているスリット９が先端側ほど大きく開かれることになるから、そのスリット９を通してアンカーピン６の周囲にまで接着材３が確実に回り込み、したがってアンカー本体５のみならずアンカーピン６も確実に固着することができる。
【００２６】
しかも、そのアンカーピン６としてアラミドロッドを採用したことにより、打ち込みの際に折れたり曲がったりすることを確実に防止できるし、それ自体が優れた引っ張り強度を有するのでこのアンカーピン６自体による定着強度の増強効果も得られる。また、アンカーピン６を充分に小径とすることが可能であるのでスリーブ部４の小径化と削孔２の小径化を実現でき、工費削減と作業効率の向上を図ることができる。
【００２７】
また、アンカー本体５に緩衝材１６を装着したことにより、その緩衝材１６によって壁面の不陸や壁面に対する削孔２の傾きを吸収し得るし、削孔２内に充填した接着材３を溢れ出させて緩衝材１６に含浸させるようにすれば、その緩衝材１６やアンカー本体５のヘッド部８も壁体１に対して自ずと接着することができる。
【００２８】
以上で本発明の一実施形態を説明したが、本発明は上記実施形態に限定されるものでは勿論なく、たとえば以下に列挙するように様々な応用や変形が可能である。
【００２９】
上記実施形態では削孔２の深さおよびアンカーピン６の長さをスリーブ部４の全長と同等にしたが、図５に示すように削孔２をスリーブ部４の全長よりも深くし、かつアンカーピン６もスリーブ部４の全長よりも長くして、アンカーピン６をアンカー本体５に打ち込んだ状態ではその先端部がアンカー本体５の前方に突出するようにしても良い。そのようにすれば、アンカーピン６の先端部が接着材３により削孔２内の先端部に直接的に定着されることになり、アンカーピン６自体の定着強度がより増強されるとともに定着長さが長くなることから、アンカー部材全体としての定着強度をより高めることができる。また、アンカーピン６の外周面が粗となる表面形状にすると、さらに定着強度が増し好適である。
【００３０】
アンカーピン６としては上記実施形態のようなアラミドロッドが最適であるが、必ずしもそれに限るものではなく、アラミドロッドと同等程度の強度を有するような樹脂成形品であれば他の素材も採用可能である。また、高強度繊維の樹脂成形品とする場合、繊維を単に束ねるだけでなくそれを編組したり撚り合わせた上で樹脂成形することも考えられる。なお、アンカーピン６をハンマー等により打ち込む際にその衝撃によってアンカーピン６の頭部が変形したり潰れるようなことが想定される場合には、アンカーピン６の頭部に保護用のキャップを装着することも考えられる。その場合、たとえば図６に示すように、ＡＢＳ樹脂等の高強度樹脂により（ａ）に示すようなキャップ２５を製作しておいて、それを（ｂ）に示すようにアンカーピン６の頭部に装着した状態でアンカーピン６を打ち込むことにより、（ｃ）に示すようにヘッド部８の中心部に凹部として形成されている中心孔１１の上端部内にキャップ２５をそのまま嵌め込んでしまうことが考えられる。あるいは、アンカーピン６を打ち込むための適宜の治具を用意しておき、それを保護用のキャップを兼ねて頭部に装着して打ち込みを行い、打ち込み後には取り外すようにしても良い。
【００３１】
アンカー本体５の素材や各部の形状、寸法は、例示したものに限らず適宜設計すれば良いことは言うまでもない。たとえば、上記実施形態ではスリーブ部４の周面をスリット９により２分割することで２つの分割片１０による拡径部７を形成したが、スリーブ部４の周面をより多数のスリット９によって３分割ないし４分割あるいはそれ以上に分割するようにして、３つ以上の分割片１０による拡径部７を形成しても良い。また、上記実施形態ではアンカー本体５の中心孔１１の断面寸法をテーパ部１２を介して先端側を絞り込むようにしたが、たとえば図７に模式的に示すように中心孔１１全体を基端から先端にかけて連続的に漸次小径となるようなテーパ状に形成しても良い。
【００３２】
また、上記実施形態ではスリット９をスリーブ部４のほぼ全長にわたって形成したうえで、中心孔１１に形成したテーパ部１２の位置から先端側を拡径部７としたが、図７に併せて示しているように、スリット９をスリーブ部４の中間部にまで形成するにとどめてそのスリット９を形成した部分の全体をそのまま拡径部７とすることでも良い。さらに、上記実施形態ではアンカー本体５の周面に抜け止めとして機能する鈎状の段部１３を設けたが、同じく図７に示しているようにそのような段部１３を省略してスリーブ部４をより単純な形状とすることでも良い。
【００３３】
上記実施形態ではアンカー本体５に緩衝材１６を装着するものとしたが、緩衝材１６が不要であれば省略しても良い。また、上記実施形態のように削孔２内から接着材３を溢れ出させて緩衝材１６やヘッド部８も壁体１に対して接着することでも良いが、必ずしもそうすることはない。いずれにしても、最終的には壁面被覆材２０全体を壁体１に対して接着するための接着材２２がさらに上塗りされるので、その接着材２２によってアンカー本体５のヘッド部８や緩衝材１６も壁体１に対して自ずと固着されてしまうことになり、その際にはヘッド部８に形成されている擂り鉢状の貫通孔１５に自ずと接着剤が充填されて優れた接着効果が得られる。
【００３４】
上記実施形態はトンネルの覆工コンクリートとしての壁体１にそれを保護するための壁面被覆材２０を取り付ける場合の適用例であるが、それに限らず、壁体１はたとえば岩盤であっても良い。また、壁面被覆材２０についてもアラミド繊維シートに限るものではなく、壁面に設置したいシート状の材料であれば何れを用いても良く、不導体である必要がなければ炭素繊維シート等も採用可能である。加えて、上記実施形態では壁面被覆材２０で壁体１を保護するに際し、壁面に不陸修正材２１や下塗りの接着材２２を層状に重ねた上で壁面被覆材２０を貼り付けるようにしたが、その具体的な工法も任意である。
【図面の簡単な説明】
【００３５】
【図１】本発明の実施形態であるアンカー部材の全体概略構成を示す斜視図である。
【図２】同、アンカー本体の上面図、側面図、底面図である。
【図３】同、断面図である。
【図４】同、壁体への取り付け作業手順を示す図である。
【図５】同、変形例を示す図である。
【図６】同、アンカーピンにキャップを装着する場合の例を示す図である。
【図７】同、他の構成例を模式的に示す図である。
【符号の説明】
【００３６】
１  壁体
２  削孔
３  接着材
４  スリーブ部
５  アンカー本体
６  アンカーピン
７  拡径部
８  ヘッド部
９  スリット
１０  分割片
１１  中心孔
１２  テーパ部
１３  段部
１４  リブ
１５  貫通孔
１６  緩衝材
２０  壁面被覆材
２１  不陸修正材
２２  接着材
２５  キャップ
【図１】
2006028779.tif 000003
【図２】
2006028779.tif 000004
【図３】
2006028779.tif 000005
【図４】
2006028779.tif 000006
【図５】
2006028779.tif 000007
【図６】
2006028779.tif 000008
【図７】
2006028779.tif 000009